(57)【特許請求の範囲】
【請求項１】
複数の電線を一束に結束したワイヤハーネスを、二つの構造物を可動に連結する可動連結部を跨いで二つの構造物間に配索するワイヤハーネス配索構造であって、
前記可動連結部を跨ぐ所定の長さ区間に配置される前記ワイヤハーネスの可動部配索部は、各電線が結束されずに可動にされた非結束部と、当該非結束部の外周を、複数の電線が平型化するように移動して余長を吸収することを規制しないように覆う伸縮性保護材と、を備えたことを特徴とするワイヤハーネス配索構造。
【請求項２】
前記可動部配索部の一端側を前記第１構造物上に固定する第１固定部と、前記可動部配索部の他端側を前記第２構造物上に固定する第２固定部と、を備え、
前記第１固定部の配置と前記第２固定部の配置とが、前記構造物相互の可動による第１固定部と第２固定部との相対移動方向と直交する方向に位置をずらして設定されていることを特徴とする請求項１に記載のワイヤハーネス配索構造。
【請求項３】
前記第１構造物が車両用リクライニングシートのシート座部構造物で、前記第２構造物が、シートバック構造物であることを特徴とする請求項１又は２に記載のワイヤハーネス配索構造。
【発明の詳細な説明】
【技術分野】
【０００１】
本発明は、ワイヤハーネス配索構造に関し、特に、配索作業性を向上させると同時に、配索領域が省スペースとなるための改良に関する。
【背景技術】
【０００２】
車両シートには、搭乗者の姿勢に合わせてシートクッションを前後方向及び上下方向に位置調整したり、シートバックをリクライニング動作させたりする電動シート装置や、エアバッグを搭乗者とサイドドアとの間に展開させるエアバッグユニット装置が設けられているものがあり、このような装置が搭載される車両シートにおいては、電動部品への給電のために、ワイヤハーネスが配索される。
【０００３】
図１０及び図１１は車両シートにおけるワイヤハーネス配索構造の従来例を示したものである。図１０及び図１１に示すように、ワイヤハーネス配索構造１００は、シートクッション（図示せず）が装着されるサイドフレーム１０２に、シートバック１０４を水平な回動軸１０５でリクライニング自在に設けられた車両シート１０６内で、ワイヤハーネス１０８をシートクッションの下方からシートバック１０４に配索したものである。
【０００４】
ワイヤハーネス１０８は、配索経路上において、コルゲートチューブ１０９により被覆されて保護されている。ワイヤハーネス１０８は回動軸１０５に沿って中間部１０９ａを平行に配索され、この中間部１０９ａをクランプ１１０で回動軸１０５に固定され、中間部１０９ａの両側に連続する部分をそれぞれ他のクランプ１１２，１１４でシートクッションとシートバック１０４とに固定されている。
【０００５】
この種のワイヤハーネスの配索構造は、下記特許文献１にも開示されている。
【先行技術文献】
【特許文献】
【０００６】
【特許文献１】特開２００６−３０４５３８号公報
【発明の概要】
【発明が解決しようとする課題】
【０００７】
ところが、車両シートの機能の向上に伴い、電動部品の数が増加し、その給電に用いられるワイヤハーネスも、結束される電線数が増えて束が大径化する傾向がある。そして、車両シートの内部という狭い空間に収まるように、このような太い束のワイヤハーネスを曲げることは困難であり、作業性が悪いという問題がある。
【０００８】
また、太い束のワイヤハーネスは曲げにくいので、ワイヤハーネスの曲げ半径が大きくなってしまい、広い配索スペースが必要になるという問題がある。
【０００９】
本発明の目的は、上記課題を解消することに係り、ワイヤハーネスの配索作業性を向上させると共に、配索領域を省スペースにできるワイヤハーネス配索構造を提供することにある。
【課題を解決するための手段】
【００１０】
本発明の上記目的は、下記構成により達成される。
（１）複数の電線を一束に結束したワイヤハーネスを、二つの構造物を可動に連結する可動連結部を跨いで二つの構造物間に配索するワイヤハーネス配索構造であって、
前記可動連結部を跨ぐ所定の長さ区間に配置される前記ワイヤハーネスの可動部配索部は、各電線が結束されずに可動にされた非結束部と、当該非結束部の外周を、複数の電線が平型化するように移動して余長を吸収することを規制しないように覆う伸縮性保護材と、を備えたことを特徴とするワイヤハーネス配索構造。
【００１１】
（２）  前記可動部配索部の一端側を前記第１構造物上に固定する第１固定部と、前記可動部配索部の他端側を前記第２構造物上に固定する第２固定部と、を備え、
前記第１固定部の配置と前記第２固定部の配置とが、前記構造物相互の可動による第１固定部と第２固定部との相対移動方向と直交する方向に位置をずらして設定されていることを特徴とする上記（１）に記載のワイヤハーネス配索構造。
【００１２】
（３）  前記第１構造物が車両用リクライニングシートのシート座部構造物で、前記第２構造物が、シートバック構造物であることを特徴とする上記（１）又は（２）に記載のワイヤハーネス配索構造。
【００１３】
上記（１）の構成によれば、可動連結部を跨ぐ可動部配索部は、電線相互が保護外被やテープ等によって結束されておらず、各電線が径方向に自由に動けるため、柔軟性が高い。従って、ワイヤハーネスを構成する電線束が太くなっても、可動部配索部で簡単に曲げることができるので、配索作業性を向上させることができる。
【００１４】
また、ワイヤハーネスを可動部配索部で簡単に曲げることができるので、曲げ半径が大きくならず、配索領域を省スペース化することができる。
【００１５】
また、ワイヤハーネスが径方向の一方向に動いて広がることで平型化し、ワイヤハーネスを可動部配索部で折り曲げることができるので、配索方向の変更に広いスペースを必要とせず、配索領域を省スペース化することができる。
【００１６】
更に、可動部配索部に設けた伸縮性保護材は、各電線の動きを適度に押さえて、曲げ動作時に可動部配索部の外径が不用意に拡大することを抑止するため、配索領域の省スペース化に貢献する。
【００１７】
また、可動連結部を介した二つの構造物相互の相対移動時に、二つの構造物相互の移動動作に伴って可動部配索部の曲げ状態が変化することで、二つの構造物相互の移動動作を柔軟に許容することができる。
【００１８】
また、可動部配索部における各電線の外周は、伸縮性保護材により覆われているため、可動部配索部を曲げた際に、電線の延在方向に直交する方向に動いた電線が、周囲の構造物等に直接接触することがなく、ワイヤハーネスの損傷を防止することができる。
【００１９】
上記（２）の構成によれば、二つの構造物相互の移動動作時には、前記可動部配索部は、単純な曲げ変形と、捻れの双方で、相対移動に対応することになり、前記可動部配索部の余長吸収性能を向上させることができる。従って、二つの構造物相互の移動動作に対する許容性能を向上させることができる。
【００２０】
上記（３）の構成によれば、車両用リクライニングシートにおけるワイヤハーネスの配索作業性を向上させることができ、また、車両用リクライニングシートにおける配索領域を省スペース化することができる。
【発明の効果】
【００２１】
本発明によるワイヤハーネス配索構造によれば、ワイヤハーネスに部分的に形成された可動部配索部を小半径で曲げたり、捻ったり、折り曲げて配索することができるので、配索作業性を向上させることができる。また、可動部配索部を曲げる場合、曲げ半径は大きくならず、更に可動部配索部を折り曲げて配索することもできるので、配索領域を省スペース化することができる。
【図面の簡単な説明】
【００２２】
【図１】本発明に係るワイヤハーネス配索構造の第１実施形態である車両シートにおけるワイヤハーネス配索構造の斜視図である。
【図２】図１に示した車両シートの右斜め後方から見たワイヤハーネス配索構造の斜視図である。
【図３】図１に示した車両シートの左斜め後方から見たワイヤハーネス配索構造の斜視図である。
【図４】図３に示したワイヤハーネス配索構造における第２固定部に使用されている固定具の側面図である。
【図５】図１に示したワイヤハーネス配索構造の要部の概略構成を示す一部破断斜視図である。
【図６】第１実施形態のワイヤハーネス配索構造において、シートバック構造物を前方にリクライニングさせた状態におけるワイヤハーネスの可動部配索部の曲がり状態を示したもので、（ａ）は側面図、（ｂ）は車両用シートの斜め前方からの斜視図、（ｃ）は斜め後方からの斜視図である。
【図７】第１実施形態のワイヤハーネス配索構造において、シートバック構造物を後方にリクライニングさせた状態におけるワイヤハーネスの可動部配索部の曲がり状態を示したもので、（ａ）は側面図、（ｂ）は車両用シートの斜め前方からの斜視図、（ｃ）は斜め後方からの斜視図である。
【図８】本発明に係るワイヤハーネス配索構造の第２実施形態において、シートバック構造物を前方にリクライニングさせた状態におけるワイヤハーネスの可動部配索部の曲がり状態を示したもので、（ａ）は側面図、（ｂ）は車両用シートの斜め前方からの斜視図、（ｃ）は斜め後方からの斜視図である。
【図９】本発明に係るワイヤハーネス配索構造の第２実施形態において、シートバック構造物を後方にリクライニングさせた状態におけるワイヤハーネスの可動部配索部の曲がり状態を示したもので、（ａ）は側面図、（ｂ）は車両用シートの斜め前方からの斜視図、（ｃ）は斜め後方からの斜視図である。
【図１０】従来のワイヤハーネスの配索図である。
【図１１】図１０の要部拡大図である。
【発明を実施するための形態】
【００２３】
以下、本発明に係るワイヤハーネス配索構造の好適な実施形態について、図面を参照して詳細に説明する。
【００２４】
［第１実施形態］
図１は本発明に係るワイヤハーネス配索構造の第１実施形態である車両シートにおけるワイヤハーネス配索構造の斜視図、図２は図１に示した車両シートの右斜め後方から見たワイヤハーネス配索構造の斜視図、図３は図１に示した車両シートの左斜め後方から見たワイヤハーネス配索構造の斜視図である。また、図４は図３に示したワイヤハーネス配索構造における第２固定部に使用されている固定具の側面図、図５は図１に示したワイヤハーネス配索構造の要部の概略構成を示す一部破断斜視図である。
【００２５】
第１実施形態のワイヤハーネス配索構造１は、図１〜図３に示すように、車両用のリクライニングシート３に、ワイヤハーネス５を配索したものである。
【００２６】
図１〜図３では、リクライニングシート３は、第１構造物であるシート座部構造物１１の後端に、第２構造物であるシートバック構造物１３の下端が可動に連結されている。具体的には、シート座部構造物１１は、略水平に配置される。また、シートバック構造物１３は、シート座部構造物１１の後端から上方に延びて配置される。シート座部構造物１１の後端とシートバック構造物１３の下端とは、これらの構造物相互を回転軸１４により連結する可動連結部１５により、回動可能に連結されている。
【００２７】
シートバック構造物１３は、可動連結部１５によってシート座部構造物１１に連結されることで、傾斜角度を調節可能にされている。
【００２８】
ワイヤハーネス５は、基本的には、後述する可動部配索部以外の範囲を、図５に示すように、複数の電線２１と、これらの電線２１を一束に結束した状態に保持する筒状の保護外被２３と、を備えた構造である。
本実施形態の場合、保護外被２３には、コルゲートチューブが利用されている。
【００２９】
本実施形態のワイヤハーネス配索構造１は、ワイヤハーネス５を、上記の可動連結部１５を跨いで二つの構造物（シート座部構造物１１とシートバック構造物１３）間に配索する。
【００３０】
本実施形態のワイヤハーネス配索構造１の場合、ワイヤハーネス５は、図５に示すように、可動連結部１５を跨ぐ所定の長さ区間に配置される可動部配索部２５は、保護外被２３が剥がれて（切除されて）、内部の各電線２１がバラバラに可動にされた非結束部２６となっている。更に、可動部配索部２５は、非結束部２６の外周を各電線２１の可動を規制しないように覆う伸縮性保護材２７を備えている。
【００３１】
補足説明すると、非結束部２６は、複数の電線２１が結束されておらず、電線相互が自由に動ける状態であり、容易に平型形状になることができ、容易に曲げ変形できる。
【００３２】
本実施形態の場合、伸縮性保護材２７としては、伸縮性を有する網目状の樹脂製チューブが使用されている。
【００３３】
そして、本実施形態の場合、可動部配索部２５の一端側をシート座部構造物１１上に固定する第１固定部３１と、可動部配索部２５の他端側をシートバック構造物１３上に固定する第２固定部３３と、を備えている。
【００３４】
本実施形態の場合、第１固定部３１は、図１に示すように、ワイヤハーネス５をシート座部構造物１１に結束する結束バンドである。
【００３５】
また、第２固定部３３は、図２〜図４に示すように、樹脂製のプロテクタで、可動部配索部２５の他端側を挿通可能な断面コ字状のプロテクタ本体３４と、該プロテクタ本体３４の開放部を開閉可能に覆うカバー３５とを備えている。そして、プロテクタ本体３４には、図３及び図４に示すように、収容する電線２１の一部を分岐ハーネス２９として側方に導出する分岐穴３４ａを有している。ワイヤハーネス５は、結束バンド４０により第２固定部３３に固定されている。
【００３６】
更に、プロテクタ本体３４には、図４に示すように、シートバック構造物１３に設けられた取付穴に嵌合して、シートバック構造物１３への固定を果たす弾性係止突起３６が突設されている。
【００３７】
第２固定部３３は、上記の弾性係止突起３６による係合、あるいは結束バンド４０による結束によって、シートバック構造物１３に固定される。
【００３８】
更に、本実施形態の場合、第１固定部３１の配置と第２固定部３３の配置とが、構造物相互の可動による第１固定部３１と第２固定部３３との相対移動方向（本実施形態では、車両の前後方向）と直交する方向（本実施形態では、回転軸１４の軸線方向で、リクライニングシート３の幅方向）で、一致するように、設定されている。
【００３９】
このことは、後述する図６（ｂ）に示すように、第１固定部３１と第２固定部３３との間で引いた中心軸線Ｃ１が、車両の正面又は上面から見て、一直線状になることを意味している。
【００４０】
また、ワイヤハーネスにおける第１固定部３１と第２固定部３３との間の部分の電線２１は、結束されておらず、電線相互が自由に動ける状態であるので、容易に平型形状になることができ、容易に曲げ変形できる。
【００４１】
次に、図６及び図７に基づいて、シートバック構造物１３をリクライニング動作させた場合の、可動部配索部２５の曲げ動作について説明する。
【００４２】
図６は第１実施形態のワイヤハーネス配索構造において、シートバック構造物を前方にリクライニングさせた状態におけるワイヤハーネスの可動部配索部の曲がり状態を示したもので、図６（ａ）は側面図、図６（ｂ）は車両用シートの斜め前方からの斜視図、図６（ｃ）は斜め後方からの斜視図である。図７は第１実施形態のワイヤハーネス配索構造において、シートバック構造物を後方にリクライニングさせた状態におけるワイヤハーネスの可動部配索部の曲がり状態を示したもので、図７（ａ）は側面図、図７（ｂ）は車両用シートの斜め前方からの斜視図、図７（ｃ）は斜め後方からの斜視図である。
【００４３】
なお、シートバック構造物１３は、図６に示した状態よりも前方にリクライニング可能であり、ワイヤハーネスもそれに対応した充分な長さに設定されている。従って、図６の状態はシートバック構造物１３が最も前傾した状態に比べてワイヤハーネスの余長が発生しているが、ワイヤハーネスが可動部配索部において車両の幅方向に平たく広がることで、余長が吸収されている。
【００４４】
図６に示すように、シートバック構造物１３を前方にリクライニングさせた場合では、回転軸１４を回動支点とするシートバック構造物１３の前方への回動に伴って、可動部配索部２５は、回転軸１４の下方に位置する範囲が、図６（ａ）に示した矢印Ａ方向に引っ張られ、シート座部構造物１１の後端部から後方に凸の湾曲状に曲げられる。なお、可動部配索部２５は、保護外被２３が装備されておらず、柔軟性が高いため、シートバック構造物１３の変位に追従して、容易に曲げ変形することができる。
【００４５】
図７に示すように、シートバック構造物１３を後方にリクライニングさせた場合では、回転軸１４を回動支点とするシートバック構造物１３の後方への回動に伴って、可動部配索部２５は、回転軸１４の下方に位置する範囲が、図７（ａ）に示した矢印Ｂ方向に押され、シート座部構造物１１の後端部から前方に凸の湾曲状に曲げられる。なお、この場合も、可動部配索部２５の柔軟性が高いために、シートバック構造物１３の変位に追従して、容易に曲げ変形することができる。
【００４６】
以上に説明した第１実施形態のワイヤハーネス配索構造１では、可動連結部１５を跨ぐ可動部配索部２５は、電線２１相互が保護外被２３によって結束されておらず、各電線２１が自由に動けるため、柔軟性が高い。従って、ワイヤハーネス５を構成する電線２１束が太くなっても、可動部配索部２５で簡単に曲げることができるので、リクライニングシート３に対するワイヤハーネス５の配索作業性を向上させることができる。
【００４７】
また、ワイヤハーネス５を可動部配索部２５で簡単に曲げることができるので、曲げ半径が大きくならず、リクライニングシート３下での配索領域を省スペース化することができる。
【００４８】
また、ワイヤハーネス５を可動部配索部２５で折り曲げることができるので、配索方向の変更に広いスペースを必要とせず、リクライニングシート３下での配索領域を省スペース化することができる。
【００４９】
更に、可動部配索部２５に設けた伸縮性保護材２７は、各電線２１の動きを適度に押さえて、曲げ動作時に可動部配索部２５の外径が不用意に拡大することを抑止するため、配索領域の省スペース化に貢献する。
【００５０】
また、可動連結部１５を介した二つの構造物１１，１３相互の相対移動時に、二つの構造物１１，１３相互の移動動作に伴って可動部配索部２５の曲げ状態が変化することで、二つの構造物１１，１３相互の移動動作を柔軟に許容することができる。
【００５１】
また、可動部配索部２５における各電線２１の外周は、伸縮性保護材２７により覆われているため、可動部配索部２５を曲げた際に、電線２１の延在方向に直交する方向に動いた電線２１が、リクライニングシート３の周囲の構造物等に直接接触することがなく、ワイヤハーネス５の損傷を防止することができる。
【００５２】
［第２実施形態］
図８は本発明に係るワイヤハーネス配索構造の第２実施形態において、シートバック構造物を前方にリクライニングさせた状態におけるワイヤハーネスの可動部配索部の曲がり状態を示したもので、図８（ａ）は側面図、図８（ｂ）は車両用シートの斜め前方からの斜視図、図８（ｃ）は斜め後方からの斜視図である。
【００５３】
また、図９は本発明に係るワイヤハーネス配索構造の第２実施形態において、シートバック構造物を後方にリクライニングさせた状態におけるワイヤハーネスの可動部配索部の曲がり状態を示したもので、図９（ａ）は側面図、図９（ｂ）は車両用シートの斜め前方からの斜視図、図９（ｃ）は斜め後方からの斜視図である。
【００５４】
この第２実施形態のワイヤハーネス配索構造１Ａは、第１実施形態に示したワイヤハーネス配索構造１の一部を改良したものである。
【００５５】
改良した点は、図８（ｂ）に示すように、第１固定部３１と第２固定部３３とが、構造物相互の可動による第１固定部３１と第２固定部３３との相対移動方向（車両の前後方向）と直交する方向（リクライニングシート３の幅方向）に、適宜距離Ｓだけ、位置をずらして配置される。
【００５６】
第２実施形態のワイヤハーネス配索構造１Ａは、図８（ｂ）に示したように、第１固定部３１と第２固定部３３とを、リクライニングシート３の幅方向に距離Ｓだけ位置をずらした点以外の構成は、第１実施形態と共通で良く、共通の構成については、同番号を付して説明を省略する。
【００５７】
第２実施形態のワイヤハーネス配索構造１Ａは、図８に示すように、シートバック構造物１３を前方にリクライニングさせた場合では、回転軸１４を回動支点とするシートバック構造物１３の前方（図８（ａ）の矢印Ｃ方向）への回動に伴って、可動部配索部２５は、回転軸１４の下方に位置する範囲が、図８（ａ）の矢印Ｄ方向に引っ張られると共に、図８（ｂ）の矢印Ｅ方向に捻られ、シート座部構造物１１の後端部から後方に凸の湾曲状に曲げられる。なお、可動部配索部２５は、保護外被２３が装備されておらず、柔軟性が高いため、シートバック構造物１３の変位に追従して、容易に曲げ変形することができる。また、曲げ部に捻りが加わり、余長を吸収できるため、コンパクトに曲げることができる。
【００５８】
第２実施形態のワイヤハーネス配索構造１Ａは、図９に示すように、シートバック構造物１３を後方にリクライニングさせた場合では、回転軸１４を回動支点とするシートバック構造物１３の後方（図９（ａ）の矢印Ｆ方向）への回動に伴って、可動部配索部２５は、回転軸１４の下方に位置する範囲が、図９（ａ）に示した矢印Ｇ方向に押されると共に、図９（ｂ）に矢印Ｈで示す方向の捻りが加わり、シート座部構造物１１の後端部から前方に凸の湾曲状に曲げられる。なお、この場合も、曲げ部に捻りが加わり、余長を吸収できるため、コンパクトに曲げることができる。また、可動部配索部２５の柔軟性が高いために、シートバック構造物１３の変位に追従して、容易に曲げ変形することができる。
【００５９】
以上に説明した第２実施形態のワイヤハーネス配索構造１Ａでは、第１実施形態の作用・効果に加えて、次の作用・効果を得ることができる。
【００６０】
即ち、二つの構造物１１，１３相互の移動動作時には、可動部配索部２５は、単純は曲げ変形と、捻れの双方で、相対移動に対応することになり、前記可動部配索部２５の余長吸収性能を向上させることができる。従って、二つの構造物相互の移動動作に対する許容性能を向上させることができる。
【００６１】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６２】
例えば、本発明のワイヤハーネス配索構造は、配索対象を車両のリクライニングシートに限るものではなく、二つの構造物相互が可動連結部により相対移動可能に連結される各種の機器、装置に応用することができる。
【００６３】
また、可動連結部による可動形態も、上記実施形態に示した回動構造に限らない。可動連結部が二つの構造物をスライド可能に連結する機構で、ワイヤハーネスの曲げ変形によりスライド移動を許容するような場合にも、応用することが可能である。
【００６４】
また、伸縮性保護材２７は、上記実施形態に示した網目状の樹脂製チューブに限定するものではなく、伸縮性のシートやテープを電線の動きを規制しない程度に巻き付けるようにしても良い。
【符号の説明】
【００６５】
１  ワイヤハーネス配索構造
１Ａ  ワイヤハーネス配索構造
３  リクライニングシート
５  ワイヤハーネス
１１  シート座部構造物（第１構造物）
１３  シートバック構造物（第２構造物）
１４  回転軸
１５  可動連結部
２１  電線
２３  保護外被
２５  可動部配索部
２６  非結束部
２７  伸縮性保護材
３１  第１固定部
３３  第２固定部
【図１】
0005489335.tif 000002
【図２】
0005489335.tif 000003
【図３】
0005489335.tif 000004
【図４】
0005489335.tif 000005
【図５】
0005489335.tif 000006
【図６】
0005489335.tif 000007
【図７】
0005489335.tif 000008
【図８】
0005489335.tif 000009
【図９】
0005489335.tif 000010
【図１０】
0005489335.tif 000011
【図１１】
0005489335.tif 000012